(57)【要約】【課題】  過去に設定した一連の設定値から、検索条件に一致するものを検出して一覧表示することで、ユーザーに所望の機能設定値を素早く設定させることで、操作性の向上を図る。【解決手段】  画像処理設定値の設定手段と、処理が実行されるごとに、設定値を保存する保存手段と、少なくとも１つの検索条件を入力する入力手段と、保存された複数の設定値の中から、検索条件に一致する画像処理条件を検索する検索手段と、前記検索手段によって検索された画像処理条件を表示する表示手段と、表示された複数の画像処理条件の中から１つの画像処理条件を選択させる選択入力手段と、選択された画像処理条件を現在の設定値として設定し直す選択設定手段を有する。【選択図】  図１
2007189525.tif 000002
【特許請求の範囲】
【請求項１】
画像処理機能の設定値(以下、画像処理条件)を設定する設定手段と、
画像処理が実行されるごとに、画像処理条件を保存領域に複数保存する保存手段と、
前記保存手段によって画像処理条件を保存する際に、保存する画像処理条件に保存時の日時を付加する付加手段と、
日時を管理する管理手段と、
少なくとも1つの検索条件を入力する入力手段と、
保存された複数の画像処理条件の中から、前記入力手段によって入力された検索条件に一致する画像処理条件を検索する検索手段と、
前記検索手段によって検索された画像処理条件を読み込む読み込み手段と、
前記読み込み手段によって読み込まれた複数の画像処理条件を表示する表示手段と、
前記表示手段によって表示された複数の画像処理条件の中から１つの画像処理条件を選択させる選択入力手段と、
前記選択入力手段によって選択された画像処理条件を現在の設定値として設定し直す選択設定手段を有することを特徴とする画像処理装置。
【請求項２】
前記表示手段によって表示された画像処理条件が、予め設定された画像処理条件数よりも多い場合に、前記入力手段に検索条件の入力を促し、現在表示されている画像処理条件に対して再度検索し、検索結果が予め設定された画像処理条件数以下になるまでそれを繰り返す請求項１記載の画像処理装置。
【請求項３】
前記表示手段は、前記付加手段により画像処理条件に付加された日時情報をもとに、前記検索手段により検出された複数の画像処理条件を日時順に並べ替えて一覧表示することを特徴とする請求項1記載の画像処理装置。
【請求項４】
画像処理機能が実行された際の画像処理条件が、過去に何度設定されたかを計測する計測手段を有し、
前記表示手段は、前記計測手段により計測された設定回数をもとに、前記検索手段により検出された複数の画像処理条件を設定回数順に並べ替えて一覧表示することを特徴とする請求項1記載の画像処理装置。
【請求項５】
音声を入力する音声入力手段と、
前記音声入力手段によって入力された音声を、予め保存した音声データと比較することで認識する音声認識手段と、
前記音声認識手段によって認識した音声データを、前記検索手段に検索条件として与える音声検索設定手段と、
音声を出力する音声出力手段と、
前記読み込み手段によって読み込んだ画像処理条件を、前記音声出力手段に渡す音声出力設定手段とを有する請求項１あるいは、請求項３、あるいは請求項４記載の画像処理装置。
【発明の詳細な説明】
【技術分野】
【０００１】
本発明は、画像処理装置において、画像処理条件の設定方法に関するものである。
【背景技術】
【０００２】
複写機になどの画像処理装置においては、印刷設定をする際に、過去に設定された印刷設定を保存し、これらの印刷設定の中からユーザが印刷設定を選択し設定する機能がある。
【０００３】
また、特開2000-235466では、パーソナルコンピュータ（PC）等における印刷設定において、ユーザから指示される文書の印刷目的に応じて、ユーザの過去一定期間における設定履歴から印刷目的に合致する推奨印刷条件をから検索し、設定する方法が提案されている。
【特許文献１】特開２０００−２３５４６６号公報
【発明の開示】
【発明が解決しようとする課題】
【０００４】
前述した複写機の印刷設定の選択方法では、保存される印刷設定数に限りがあり、必ずしもユーザが目的とする印刷設定があるとはいえなかった。
【０００５】
また、複写機の高機能化・多機能化に伴って設定操作が複雑化したため、多数の項目を設定する場合など、すべての設定項目を入力するのは時間がかかり、また、設定ミスが生じることもある。
【０００６】
上述した従来の技術（特開2000-235466）では、印刷目的ごとに設定項目の設定頻度を調べ、推奨印刷条件を作成するものである為、多数の項目を設定する場合など、全ての設定項目を入力する時間を少なくし、また、設定ミスを回避するものではなかった。
【０００７】
さらに、推奨印刷条件が必ずしもユーザが目的とする印刷条件ではない為、ユーザが目的とする印刷条件を検出し、設定することができなかった。
【０００８】
その為、本発明は、ユーザが設定したい条件を指定し、設定履歴から指定された設定条件をユーザ任意の設定条件数まで絞込み、複数の設定条件の中から１つの設定条件を選択することで、印刷設定時間の削減と、設定ミスの回避を目的とする。
【課題を解決するための手段】
【０００９】
上述した課題を解決する為に、本発明に係る画像処理装置は以下のような構成を備える。即ち、
画像処理機能の設定値(以下、画像処理条件)を設定する設定手段と、
画像処理が実行されるごとに、画像処理条件を保存領域に複数保存する保存手段と、
前記保存手段によって画像処理条件を保存する際に、保存する画像処理条件に保存時の日時を付加する付加手段と、
日時を管理する管理手段と、
少なくとも1つの検索条件を入力する入力手段と、
保存された複数の画像処理条件の中から、前記入力手段によって入力された検索条件に一致する画像処理条件を検索する検索手段と、
前記検索手段によって検索された画像処理条件を読み込む読み込み手段と、
前記読み込み手段によって読み込まれた複数の画像処理条件を表示する表示手段と、
前記表示手段によって表示された複数の画像処理条件の中から１つの画像処理条件を選択させる選択入力手段と、
前記選択入力手段によって選択された画像処理条件を現在の設定値として設定し直す選択設定手段と、
画像処理機能が実行された際の画像処理条件が、過去に何度設定されたかを計測する計測手段と、
音声を入力する音声入力手段と、
前記音声入力手段によって入力された音声を、予め保存した音声データと比較することで認識する音声認識手段と、
前記音声認識手段によって認識した音声データを、前記検索手段に検索条件として与える音声検索設定手段と、
音声を出力する音声出力手段と、
前記読み込み手段によって読み込んだ画像処理条件を、前記音声出力手段に渡す音声出力設定手段を有する画像処理装置において、
前記表示手段によって表示された画像処理条件が、予め設定された画像処理条件数よりも多い場合に、前記入力手段に検索条件の入力を促し、現在表示されている画像処理条件に対して再度検索し、検索結果が予め設定された画像処理条件数以下になるまでそれを繰り返し、
検索された画像処理条件の中から、1つの画像処理条件を選択し、
画像処理条件を設定する手段を備える。
【発明の効果】
【００１０】
本発明によれば、ユーザが設定したい画像処理条件を入力し、入力された画像処理条件を過去に設定された画像処理条件の中から検索し、検索結果を日時順あるいは設定回数順に並べ替えて一覧表示し、複数の画像処理条件の中から1つの画像処理条件を選択することができる為、ユーザが目的とする画像処理条件を容易に発見して選択することができ、画像処理設定の時間を削減し、また、設定ミスを回避するため、ユーザの利便性が向上する。
【００１１】
また、音声により画像処理条件を入力し、上記と画像処理条件の設定ができる為、音声入力によって画像処理設定作業の冗長な操作を短縮できるという利点がある。
【発明を実施するための最良の形態】
【００１２】
（実施例１）
本発明の実施例にかかわる画像入出力システムの全体構成を、図１を参照しながら説明する。
【００１３】
リーダ部（画像入力装置）200は、原稿画像を光学的に読み取り、画像データに変換する。リーダ部200は、原稿を読取るための機能を持つスキャナユニット210と、原稿用紙を搬送するための機能を持つ原稿給紙ユニット250とで構成される。
【００１４】
プリンタ部（画像出力装置）300は、記録紙を搬送し、その上に画像データを可視画像として印字して装置外に排紙する。プリンタ部300は、複数種類の記録紙カセットを持つ給紙ユニット360と、画像データを記録紙に転写、定着させる機能を持つマーキングユニット310と、印字された記録紙をソート、ステイプルして機外へ出力する機能を持つ排紙ユニット370とで構成される。
【００１５】
制御装置110は、リーダ部200、プリンタ部300と電気的に接続されている。
【００１６】
制御装置110は、リーダ部200を制御して、原稿の画像データを読込み、プリンタ部300を制御して画像データを記録用紙に出力してコピー機能を提供する。また、リーダ部200から読取った画像データを、コードデータに変換し、プリンタ部300に出力するプリンタ機能を提供する。
【００１７】
操作部180は、制御装置110に接続され、液晶タッチパネルで構成され、画像入出力システムを操作するためのユーザI/Fを提供する。
【００１８】
<制御装置の説明>
制御装置110の機能を、図３に示すブロック図をもとに説明する。
【００１９】
メインコントローラ111にはCPU，レンダリング部，メモリコントローラ，シリアル通信制御部，シリアルバス制御部が含まれている。
【００２０】
CPUは制御装置110全体の動作を制御するものであり、Memory121に格納されたプログラムに基づいて動作する。また、ホストコンピュータから受信したPDL（ページ記述言語）コードデータを解釈し、ラスターイメージデータに展開する動作も、このプログラムに記述されており、コードデータの解釈はCPUで行われ、ラスターイメージデータの展開はレンダリング部で処理される。レンダリング部ではCPUで作成されたコードデータに基づいてラスターイメージデータを作成し、Memory121や、プリンタ画像処理部151に展開後のラスターデータを転送する。レンダリング部で作成されるイメージデータの色空間はRGB，CMYKが挙げられる。
【００２１】
シリアル通信制御部はプリンタ部300のCPUとシリアルバスを介して制御コマンドを送受信して通信を行う。
【００２２】
シリアルバス制御部ではホストコンピュータとの通信、各種デバイスとの通信がコネクタ122を介して行われる。シリアルバスとしては一般的にUSBがあげられ、ホストコンピュータからPDLデータを受信するI/Fとして用いられる。
【００２３】
コネクタ123にはシリアルバスが接続され、リーダコントローラ部222との通信や、画像データの転送に用いられる。
【００２４】
BootROM124はCPUが起動するプログラムが格納されており、また場合によってはPDL用のFONTデータが格納される。
【００２５】
汎用高速バス130には、拡張ボードを接続するための拡張コネクタ135とI/O制御部136，HDコントローラ131，音声出力部133が接続される。汎用高速バスとしては、一般的にPCIバスがあげられる。
【００２６】
HDコントローラ131は、外部記憶装置を接続するためのものである。本実施例においては、このI/Fを介してハードディスクドライブ132を接続している。ハードディスク132はプログラムを格納したり、画像データを記憶するのに用いている。
【００２７】
I/O制御コントローラ136は、データバス191の制御を行い、ポートや割り込みの制御を行う。また、I/O制御コントローラ136にはCPU137が搭載され、ポート制御138の制御やNetwork Contorller 140、操作部180との通信、Modem146との通信等を制御する。
【００２８】
Network Controller180は外部ネットワーク147と接続される。ネットワークとしては一般的にイーサネット（登録商標）があげられ、ホストコンピュータからのPDLデータ受信や、スキャナー画像の送信、リモート管理等に用いられる。
【００２９】
Modem146は公衆回線149に接続され、ファックスの通信を行う。
【００３０】
Memory139はCPU137のワーク用メモリ、操作部180に表示する画像データのワーク用メモリ等に用いられる。
【００３１】
音声出力部200は音声信号を出力する為のもので、汎用高速バス130から入力されたデータに基づいてスピーカ201に信号を出力する。
【００３２】
音声入力部202は音声信号を入力する為のもので、マイク203から入力されたデータに基づいて汎用高速バス130に信号を出力する。
【００３３】
操作部I/F145は操作部180の液晶画面に表示を行うためのI/Fと、ハードキーやタッチパネルキーの入力を行うためのキー入力I/Fとから構成される。
【００３４】
操作部180は液晶表示部と液晶表示部上に張り付けられたタッチパネル入力装置と、複数個のハードキーを有する。タッチパネルまたはハードキーにより入力された信号は前述した操作部I/F147を介して入力されたハードキーのID番号と入力されたタッチパネルの座標情報としてCPU137に伝えられる。液晶表示部は操作部I/F147から送られてきた画像データを表示するものである。液晶表示部には、本画像形成装置の操作における機能表示や画像データ等を表示する。
【００３５】
FAN148はI/O制御コントローラ136に接続され、コントローラ部110を冷却するのに用いる。
【００３６】
SRAM141はバックアック用電池144でバックアップされており、ユーザーモードや各種設定情報や、ハードディスクドライブ132のファイル管理情報等を蓄積している。
【００３７】
リアルタイムクロックモジュール143は、機器内で管理する日付と時刻を更新/保存するためのもので、バックアップ電池144によってバックアップされている。
【００３８】
プリンタ画像処理部151、カスタムバス125と高速バス150でメインコントローラ111と接続されている。高速バス150は片方向通信でリング状に接続されている。
【００３９】
プリンタ画像処理部151は、コネクタ181を介してプリンタ部300と接続され、メインコントローラ111から入力された画像データに所定の画像処理を施して、メインコントローラ111もしくはプリンタ部300へ出力する機能を有する。Memory152はプリンタ画像処理151のワーク領域および遅延バッファとして使用される。
【００４０】
<リーダ部とプリンタ部の説明>
リーダ部２００とプリンタ部３００とは、図２に示すように、一体的に構成されている。リーダ部２００は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。リーダ部２００は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００４１】
プリンタ部３００は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００４２】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３７０に排紙される。排紙ユニット３７０は、ソート、ステイプルなどの後処理を施すことが可能なシート処理装置からなる。
【００４３】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００４４】
＜操作部概要＞
操作部180の構成を図４に示す。LCD表示部(3001)は、LCD上にタッチパネルシートが貼られており、システムの操作画面を表示するとともに、表示してあるキーが押されるとその位置情報をコントローラCPUに伝える。スタートキー(3002)は原稿画像の読取り動作を開始する時などに用いる。スタートキー中央部には、緑と赤の２色LEDがあり、その色によってスタートキーが使える状態にあるかどうかを示す。ストップキー(3003)は稼働中の動作を止める働きをする。
【００４５】
ハードキー群3006には、テンキー、クリアキー、リセットキー、ガイドキー、ユーザモードキー、IDキーが設けられている。IDキーは使用者のユーザーIDを入力するときに用いる。リセットキーは操作部からの設定を初期化するときに用いる。
【００４６】
図６は、操作部３０００上のＬＣＤ表示部３００１に表示される操作画面の一例を示す図である。
【００４７】
操作部３０００の操作画面の上部には、タッチキーからなり、各種の機能を選択するためのコピータブ９０１、送信／ＦＡＸタブ９０２、ボックスタブ９０３、ブラウザタブ９０４が表示される。
【００４８】
図６は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソート、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００４９】
また、コピー機能の動作モードが設定されると、表示領域９０６内の設定されたタッチキーが反転する。動作モードの詳細な設定内容はタッチキーの上部吹き出しの中に表示される。例えば、片面に印刷された原稿を両面にコピーをする設定は、両面タッチキーが反転し、両面タッチキーの上部に両面機能の詳細設定内容を示す「片→両」が吹き出しの中に表示される。
【００５０】
また、表示領域９０７は、複写機のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機のデバイス情報を表示する画面や、プリントジョブ状況を表示する画面（図示せず）を表示し、この画面ではジョブの中止を行うことが可能になる。
【００５１】
送信／ＦＡＸタブ９０２を押下すると、複写機で読み取った画像をＬＡＮ上の機器にＥ−メール送信またはＦＴＰ送信したり、また公衆回線を使ってファクシミリ送信したりするための設定画面（図示せず）を表示する。
【００５２】
ボックスタブ９０３を押下すると、複写機上で読み取った画像をハードディスクドライブ132内のボックス領域に保存したり、ボックス領域に保存されている画像データを指定して印刷したり、ＬＡＮ上の機器に送信したりするための設定画面（図示せず）を表示する。
（以上、複写機の基本説明）
実施例１では、過去に設定された画像処理条件の中から、操作部により入力された画像処理条件検索条件として検索し、検索結果を日時順あるいは設定回数順に並べ替えて一覧表示し、複数の画像処理条件の中から1つの画像処理条件を選択し画像処理条件を設定する。
【００５３】
これら一連の処理の説明を図５から図１１を用いて説明する。
【００５４】
図５は上述した方法を実現するフローチャートである。
【００５５】
図６のタッチキー909は履歴一覧画面に遷移するためのタッチキーである。
【００５６】
図９は操作部３０００上のＬＣＤ表示部３００１に表示され、過去に設定された画像処理条件を一覧表示する操作画面の一例を示す図である。
【００５７】
画像処理条件の表示は領域709、710、711で行われる。履歴順タッチキー700は、表示領域709から711に画像処理条件を日時順に並べ替えて表示するためのタッチキーであり、使用率順タッチキー701は、表示領域709から711に画像処理条件を設定回数順に並べ替えて表示するためのタッチキーである。
【００５８】
領域712、713、714は画像処理条件が過去に設定された設定回数、または、保存された日時を表示する領域である。
【００５９】
画像処理条件を設定するためのタッチキーとして、703両面キー、704ソートキー、705 ２in１キー、706等倍キー、707 A４キー、708製本キーが表示される。
【００６０】
OKタッチキー715は領域709、710、711に表示された画像処理条件から選択したものを設定値として確定するためのキーである。
【００６１】
まず、図６の909タッチキーを押下する（S5001）。
【００６２】
この操作によって、図９に示すような履歴一覧画面に遷移する（S5002）。
【００６３】
図９の画面において700または701のタッチキーのどちらが押下されているかを判定し（S5003）、
図９の700のタッチキーが押下されていると判断したときは、図３のハードディスクドライブ132に保存されている画像処理条件（画像処理条件は以下も同様にハードディスクドライブ132に保存される）に付加された日付情報をもとに、過去の日時順に並べ替えて図９の709から71１に表示する（S5004）。
【００６４】
図９の701のタッチキーが押下されたと判断したときは、図３のハードディスクドライブ132に保存されている画像処理条件の設定回数を計算し、設定回数順に並べ替えて図１０の709から71１に表示する。（S5005）
これにより、図１０のように、画像処理条件を709から71１に設定回数順に並べ替えて表示する。
【００６５】
次に、703から708のタッチキーが検索画像処理条件の設定のために押下されたかどうかを判断する（S5006）。
【００６６】
ここでは例として703の両面タッチキーが押下されたものとする。
【００６７】
S5006で設定された検索画像処理条件を含む画像処理条件をハードディスクドライブ132に保存されている全ての画像処理条件から検索する（S5007）。
【００６８】
図１１は、画像処理条件の検出結果を一覧表示するための操作画面の一例を示す図である。
【００６９】
S5007で検出された画像処理条件を図１１の709、710、711に表示する（S5008）。
【００７０】
ここでは、S5006で設定された両面機能に関する画像処理条件のみが表示されている。
【００７１】
さらに、図１１では、タッチキー700を押下し、画像処理条件の検索結果を709から71１に日時順に並べ替えて表示した状態を示している。
【００７２】
さらに、検出された画像処理条件の中から画像処理条件を絞り込むかどうかを判断し、画像処理条件を絞り込む場合は（S5009）、図１１の703から708の印刷機能タッチキーを押下し、画像処理条件を追加する。（S5010）。
【００７３】
ある程度の画像処理条件数になるまでS5007からS5010を繰り返し、検索された画像処理条件結果を絞り込む。
【００７４】
図１１の履歴一覧画面の709から710に表示された画像処理条件の中から、ひとつの画像処理条件を選択し、OKタッチキー715を押下する（S5011）。
【００７５】
ここでは、例として図１１の709に表示されている「1.両面（片→両）  ソート  A4  部数5」を選択する。
【００７６】
図７は、画像処理条件を選択した後の操作部の一例を示す図である。
【００７７】
先に示した図６の操作部の同じ画面に相当する。
【００７８】
S5011で画像処理条件を選択後、図７の画面に遷移すると、領域906に、「コピーできます。（設定あり）」と表示され、両面とソートのタッチキーが反転され、両面のタッチキーの上部には両面機能の詳細設定内容である「片→両」が吹き出しの中に表示される。また、選択されたA4の給紙段と置数５の画像処理条件が表示される。
【００７９】
次に選択された画像処理条件の印刷設定を変更するか判断する（S5012）。
【００８０】
変更しない場合は何も行われない。
【００８１】
変更する場合は、図７におけるタッチキーを押下して、所望とする画像処理条件設定を設定する（S5013）。
【００８２】
最後に、画像処理条件を確定し、画像処理を開始し、そのときの画像処理条件をハードディスクドライブ１３２の保存領域に、そのときの日時情報とともに保存する（S501４）。
【００８３】
（実施例２）
実施例2では、実施例１で示した画像処理条件設定において、検索画像処理条件の入力を行い、さらに、検索結果を音声で読み上げることが可能である。
【００８４】
ここでは、実施例１との差分についてのみ説明する。
【００８５】
図８はフローチャートである。
【００８６】
まず、図６の操作画面において図４のハードキー群3006に設けた音声入力モード切り替えキーを押下することで音声モードに設定する(S8001)。
【００８７】
以下、検索画像処理条件の設定は図３の204のマイクへの音声入力を行い、音声認識処理によって得られた認識データを検索画像処理条件として設定し、検索された画像処理条件の結果の出力は、結果データを音声合成処理によって音声波形データに変換したものを201のスピーカによって音声出力する。
【００８８】
次に、スピーカからの音声出力により、画像処理条件を過去に設定された履歴データから設定（以下、履歴設定）するか、または新規に画像処理条件を設定（以下、新規設定）するかを問い掛け、選択した設定方法をマイクから入力する（S8002）。
【００８９】
新規設定を選択した場合は、マイクへの音声入力によって画像処理条件を入力し設定する。（S8003）。
【００９０】
S8004とS8005は実施例１のS5006とS5007と同様の動作のため、説明は省略する。
【００９１】
次に、検出した画像処理条件数をスピーカからの音声出力によって応答する（S8006）。
【００９２】
S8007とS8008は実施例１のS5009とS5010と同様の動作のため、説明は省略する。
【００９３】
ある程度の画像処理条件数になるまでS8005からS8008を繰り返し、画像処理条件を絞り込む。
【００９４】
S8009からS8011は実施例１のS5003からS5005と同様の動作のため、説明は省略する。
【００９５】
ただし検索した画像処理条件は、全てスピーカからの音声出力によって読み上げる。
【００９６】
S8012からS8015は実施例１のS5011からS5014と同様の動作のため、説明は省略する。
【００９７】
ここでも、画像処理条件の設定はマイクによる音声入力によって行い、変更後の設定はスピーカによる音声出力によって行う。
【図面の簡単な説明】
【００９８】
【図１】本装置の全体構成を示すブロック図である。
【図２】本装置のリーダ部及びプリンタ部の外観図である。
【図３】本装置の制御装置のブロック図である。
【図４】本装置の操作部全体図である。
【図５】過去に設定された画像処理条件を履歴データから検索し、検出された画像処理条件の中からひとつの画像処理条件を選択し設定するフローチャートである。
【図６】操作部上に表示される操作画面の一例を示す図である。
【図７】操作部上に表示される操作画面で、画像処理条件を設定後の操作画面の一例を示す図である。
【図８】音声による操作で過去に設定された画像処理条件の履歴データから検索し、検出された画像処理条件の中からひとつの画像処理条件を選択し設定するフローチャートである。
【図９】画像処理条件を履歴から設定する画面の一例を示す図である。
【図１０】画像処理条件を履歴から設定する画面で、画像処理条件を設定回数順に並べ替えて表示した一例を示す図である。
【図１１】画像処理条件を履歴から設定する画面で、画像処理条件を日時順に並べ替えて表示した一例を示す図である。
【図１】
2007189525.tif 000003
【図２】
2007189525.tif 000004
【図３】
2007189525.tif 000005
【図４】
2007189525.tif 000006
【図５】
2007189525.tif 000007
【図６】
2007189525.tif 000008
【図７】
2007189525.tif 000009
【図８】
2007189525.tif 000010
【図９】
2007189525.tif 000011
【図１０】
2007189525.tif 000012
【図１１】
2007189525.tif 000013